(57)【要約】【課題】蛍光体層の性能劣化が生じにくい光源装置を提供する。【解決手段】光源装置は、蛍光体層１３ｂと、蛍光体層１３ｂを励起する励起光Ｌを射出する第１の光源１１と、蛍光体層１３ｂの励起光Ｌが照射される照射位置を蛍光体層１３ｂに対して相対的に移動させる駆動部（モーター１４およびモーター駆動部６３）と、蛍光体層１３ｂにおいて異常が発生している異常領域に照射される励起光Ｌの光量を異常領域とは異なる領域に照射される励起光Ｌの光量よりも小さくする光源出力レベル調整部７４と、を備えている。【選択図】図２
2013190548.tif 000002
【特許請求の範囲】
【請求項１】
蛍光体層と、
前記蛍光体層を励起する励起光を射出する第１の光源と、
前記蛍光体層の前記励起光が照射される照射位置を前記蛍光体層に対して相対的に移動させる駆動部と、
前記蛍光体層において異常が発生している異常領域に照射される励起光の光量を、前記異常領域とは異なる領域に照射される励起光の光量よりも小さくする光源出力レベル調整部と、を備えている光源装置。
【請求項２】
前記光源出力レベル調整部は、前記蛍光体層から射出された光の光量に応じて前記励起光の光量を制御する請求項１に記載の光源装置。
【請求項３】
前記異常領域を検出する異常領域検出部をさらに備える請求項１または２に記載の光源装置。
【請求項４】
前記蛍光体層から放射される第１の光の光量を検出する光量検出部を備え、
前記異常領域検出部は、前記光量検出部で検出された光量が予め設定された第１の光量以下となる前記蛍光体層の領域を前記異常領域として検出する請求項３に記載の光源装置。
【請求項５】
前記光源出力レベル調整部は、前記異常領域に照射される前記励起光の光量と、前記異常領域に隣り合い、前記蛍光体層から射出された光の光量が前記第１の光量より大きく且つ予め設定された第２の光量より小さい隣接領域に照射される前記励起光の光量とを、前記異常領域および前記隣接領域以外の領域に照射される前記励起光の光量よりも小さくする請求項２ないし４のいずれか１項に記載の光源装置。
【請求項６】
前記光源出力レベル調整部は、前記隣接領域に照射される前記励起光の光量を、前記異常領域の中央部に照射される前記励起光の光量よりも小さくする請求項５に記載の光源装置。
【請求項７】
前記照射位置は前記蛍光体層上を所定の軌跡を描いて周期的に移動し、
前記異常領域検出部は、前記蛍光体層のうち一の位置から放射される前記第１の光の光量を複数回検出する請求項３または４に記載の光源装置。
【請求項８】
前記蛍光体層から放射される光の色とは異なる色の第２の光を射出する第２の光源を備え、
前記光源出力レベル調整部は、前記異常領域に照射される前記励起光の光量を前記異常領域とは異なる領域に照射される前記励起光の光量よりも小さくすることに対応して、前記第２の光源から射出される前記第２の光の光量を小さくする請求項１ないし７のいずれか１項に記載の光源装置。
【請求項９】
請求項１ないし８のいずれか１項に記載の光源装置を備えているプロジェクター。
【発明の詳細な説明】
【技術分野】
【０００１】
本発明は、光源装置およびプロジェクターに関するものである。
【背景技術】
【０００２】
プロジェクターに用いられる光源装置の一つとして、レーザー光を励起光として蛍光体層に照射し、励起光とは異なる波長の蛍光を発生させる光源装置が提案されている（例えば、特許文献１参照）。この種の光源装置では、高エネルギーの励起光が蛍光体層に集光して照射されるため、励起光の照射位置が高温になりやすい。そのため、特許文献１の光源装置では、蛍光体層を回転駆動される基板上に形成し、励起光の照射位置に生じた熱を基板の回転方向に分散させている。
【先行技術文献】
【特許文献】
【０００３】
【特許文献１】特開２００９−２７７５１６号公報
【発明の概要】
【発明が解決しようとする課題】
【０００４】
蛍光体層に埃や異物などが付着したり、蛍光体層の厚みに大きなバラツキが存在すると、蛍光体層の温度が局所的に上昇し、蛍光体層に変質（例えば、蛍光体を固着している樹脂の炭化）が生じる場合がある。本明細書では、蛍光体層にこのような変質が生じた領域を異常領域と呼ぶ。異常領域はさらに光を吸収して温度が上がり、周囲の蛍光体層に作用して異常領域が広がっていく。基板の径方向は光照射部が限られているため異常領域は広がらないが、基板の周方向（回転方向）は励起光の移動方向なので異常領域は基板の周方向に伸び、ゆっくりと成長していく。そして最後には異常領域が基板の全周に及んでしまう。異常領域は発光効率が落ちて性能が維持できず、寿命が短くなる上、温度上昇が生じて故障の原因になる。
【０００５】
本発明の目的は、蛍光体層の性能劣化が生じにくい光源装置およびプロジェクターを提供することにある。
【課題を解決するための手段】
【０００６】
本発明の光源装置は、蛍光体層と、前記蛍光体層を励起する励起光を射出する第１の光源と、前記蛍光体層の前記励起光が照射される照射位置を前記蛍光体層に対して相対的に移動させる駆動部と、前記蛍光体層において異常が発生している異常領域に照射される励起光の光量を、前記異常領域とは異なる領域に照射される励起光の光量よりも小さくする光源出力レベル調整部と、を備えている。
【０００７】
この構成によれば、異常領域に照射される励起光の光量が他の領域に比べて低減されるので、異常領域の広がりが抑制され、蛍光体層の性能劣化が生じにくくなる。
【０００８】
前記光源出力レベル調整部は、前記蛍光体層から射出された光の光量に応じて前記励起光の光量を制御してもよい。
【０００９】
この構成によれば、異常領域を容易に検出することができる。
【００１０】
前記異常領域を検出する異常領域検出部をさらに備えてもよい。
【００１１】
この構成によれば、異常領域の位置が特定されるため、励起光の光量を蛍光体層の照射位置に応じて精密に制御することで、異常領域が広がることをよりよく抑制できる。
【００１２】
前記蛍光体層から放射される第１の光の光量を検出する光量検出部を備え、前記異常領域検出部は、前記光量検出部で検出された光量が予め設定された第１の光量以下となる前記蛍光体層の領域を前記異常領域として検出してもよい。
【００１３】
この構成によれば、異常領域を蛍光の光量変化に基づいて簡便に検出することができる。
【００１４】
前記光源出力レベル調整部は、前記異常領域に照射される前記励起光の光量と、前記異常領域に隣り合い、前記蛍光体層から射出された光の光量が前記第１の光量より大きく且つ予め設定された第２の光量より小さい隣接領域に照射される前記励起光の光量とを、前記異常領域および前記隣接領域以外の領域に照射される前記励起光の光量よりも小さくしてもよい。
【００１５】
この構成によれば、異常領域の隣接領域で変質が進行し、励起光の照射位置の移動方向に沿って異常領域が大きく広がることが抑制される。
【００１６】
前記光源出力レベル調整部は、前記隣接領域に照射される前記励起光の光量を、前記異常領域の中央部に照射される前記励起光の光量よりも小さくしてもよい。
【００１７】
蛍光体層の変質は、主に異常領域の端部およびその隣接領域から励起光の照射位置の移動方向に沿って進行する。これは、励起光の吸収および変質が励起光の照射位置の軌跡上で起こるからである。異常領域の中央部でも励起光の吸収および変質は生じるが、異常領域の広がりは励起光の吸収によって生じた熱が蛍光体層内を熱伝導される範囲である。そのため、照射位置の軌跡と交差する方向には、励起光の照射位置の軌跡に沿って異常領域が広がる場合のようにダイナミックに広がることはない。そのため、異常領域の中央部には、異常領域の端部およびその隣接領域に比べて強い励起光を照射することができる。本発明のように異常領域に照射する励起光の光量を小さくすると、光源装置から射出される第１の光の光量が小さくなるが、異常領域の中央部に照射する励起光の光量を大きくすれば、この光量の低下を抑えることができる。
【００１８】
前記照射位置は前記蛍光体層上を所定の軌跡を描いて周期的に移動し、前記異常領域検出部は、前記蛍光体層のうち一の位置から放射される前記第１の光の光量を複数回検出してもよい。
【００１９】
この構成によれば、１周期ごとの第１の光の光量のバラツキを平均化でき、異常領域を精度よく検出することができる。
【００２０】
前記蛍光体層から放射される光の色とは異なる色の第２の光を射出する第２の光源を備え、前記光源出力レベル調整部は、前記異常領域に照射される前記励起光の光量を前記異常領域とは異なる領域に照射される前記励起光の光量よりも小さくすることに対応して、前記第２の光源から射出される前記第２の光の光量を小さくしてもよい。
【００２１】
この構成によれば、色ずれの少ない画像表示が可能になる。
【００２２】
本発明のプロジェクターは、本発明の光源装置を備えている。
【００２３】
この構成によれば、蛍光体層の性能劣化が生じにくいプロジェクターが提供される。
【図面の簡単な説明】
【００２４】
【図１】第１実施形態のプロジェクターの概略図である。
【図２】プロジェクターの動作を制御する制御系の機能構成を表すブロック図である。
【図３】異常領域が回転蛍光板の回転方向に沿って成長する様子を示す図である。
【図４】蛍光体の異常領域の検出方法と励起光の照射光量の制御方法の説明図である。
【図５】プロジェクターの制御系が実行する処理の手順を表すフローチャートである。
【図６】第２実施形態のプロジェクターにおける蛍光体の異常領域の検出方法と励起光の照射光量の制御方法の説明図である。
【図７】第３実施形態のプロジェクターの概略図である。
【図８】プロジェクターの動作を制御する制御系の機能構成を表すブロック図である。
【図９】第４実施形態のプロジェクターの励起光の制御方法の説明図である。
【図１０】第５実施形態のプロジェクターの概略図である。
【図１１】プロジェクターの動作を制御する制御系の機能構成を表すブロック図である。
【図１２】蛍光体の異常領域の検出方法と励起光の照射光量の制御方法の説明図である。
【発明を実施するための形態】
【００２５】
［第１実施形態］
図１は、第１実施形態のプロジェクター１の概略図である。
【００２６】
プロジェクター１は、赤色用光源装置１０Ｒと、緑色用光源装置１０Ｇと、青色用光源装置１０Ｂと、赤色用液晶表示素子３０Ｒと、緑色用液晶表示素子３０Ｇと、青色用液晶表示素子３０Ｂと、色合成光学系４０と、投射光学系５０と、を備えている。
【００２７】
緑色用光源装置１０Ｇは、光源１１と、集光レンズ１２ａと、コリメートレンズ１２ｂと、回転蛍光板１３と、モーター１４と、ピックアップ光学系１５と、ダイクロイックミラー１６と、集光レンズ１７と、ロッドインテグレーター１８と、コリメートレンズ１９と、を備えている。
【００２８】
光源１１は、固体光源３５と、固体光源３５から射出された光を平行化するコリメートレンズ３６とを１組とする光学素子が５×５の２次元配列状に並べられた固体光源アレイである。固体光源３５としては、例えば、励起光として青色レーザー光を射出する半導体レーザー素子（Laser Diode; LD）が用いられる。励起光は、例えば、波長が約４５０ｎｍにおいて発光強度のピークが現れる特性を有する。光源１１は本発明における第１の光源である。
【００２９】
光源１１から射出された励起光は、集光レンズ１２ａとコリメートレンズ１２ｂで一旦光束が細められる。その後、ダイクロイックミラー１６にて９０度光路が折り曲げられ、ピックアップ光学系１５で回転蛍光板１３の蛍光体１３ｂ上に集光される。蛍光体１３ｂに入射した励起光は、集光スポット全体で□１ｍｍの略正方形状となる。
【００３０】
回転蛍光板１３は、基板としての円板１３ａの一方の面に、蛍光体層としての蛍光体１３ｂを円板１３ａの周方向に沿って連続的に形成したものである。回転蛍光板１３は、モーター１４によって回転自在に支持され、ピックアップ光学系１５が集光した励起光を緑色の蛍光に変換して射出する。以下、緑色の蛍光を単に緑色光ということがある。また、回転蛍光板１３から射出される蛍光は本発明における第１の光である。
【００３１】
円板１３ａは、例えば、アルミニウム基板等の金属基板で形成されている。円板１３ａの蛍光体１３ｂが形成される面は、蛍光体１３ｂから射出された緑色光を反射する反射面となっている。円板１３ａの円中心部には、モーター１４の回転軸Ａｘが貫通する穴が形成されている。なお、ここでは基板として円板１３ａを用いる例について説明したが、基板の形状は円板に限定されず平板であればよい。
【００３２】
蛍光体１３ｂは、緑色蛍光体が混入された透明樹脂を円板１３ａ上に塗布することにより形成されている。緑色蛍光体としては、例えば、βサイアロン(Si,Al)6(O,N)8:Euやシリケート系（Ca3Sc2Si3O12:Ce）などが使用できる。緑色蛍光体はこのほかにも各種存在するが、何を使用してもよい。透明樹脂はシリコーン樹脂であり、緑色蛍光体の粉末と混練され、塗布された後熱硬化され、円板１３ａ上に固着されている。円板１３ａは、蛍光体にて発生した熱を効率よく放熱するための放熱板を兼ねている。
【００３３】
回転蛍光板１３は、光源１１から射出された励起光が円板１３ａとは反対側から蛍光体１３ｂに入射するように、蛍光体１３ｂが形成された面を励起光が入射する側に向けて設けられている。
【００３４】
モーター１４は、回転蛍光板１３を回転させる電動機である。モーター１４は、後述するモーター駆動部から供給される回転指示信号を取り込み、回転指示信号に応じた回転周期で回転軸Ａｘを回転させる。モーター１４は、例えばホール素子で実現される位置検出センサーを備え、位置検出センサーによって検出される回転軸Ａｘの基準位置を表す位置情報（以下、回転軸の基準軸を表す位置情報を単に回転軸の位置情報と呼ぶことがある）を出力する。
【００３５】
ピックアップ光学系１５は、単一または複数のレンズ、例えば、第１レンズ１５ａと第２レンズ１５ｂとを備えており、光源１１から射出された励起光を蛍光体１３ｂ上に集光するとともに、蛍光体１３ｂから射出された緑色光を略平行化する。
【００３６】
ダイクロイックミラー１６は、光源１１から射出された励起光を反射し、蛍光体１３ｂから射出された緑色光を透過する波長選択透過反射部材である。蛍光体１３ｂから射出された緑色光は、ピックアップ光学系１５によって略平行化され、ダイクロイックミラー１６によって残留励起光が除去された後、集光レンズ１７によって再集光され、ロッドインテグレーター１８を通過する。
【００３７】
ロッドインテグレーター１８は、光路方向に延在する角柱状の光学部材である。ロッドインテグレーター１８内では多重反射により光が混合して均一化される。ロッドインテグレーター１８から射出された緑色光は、コリメートレンズ１９によって略平行化され、光変調素子としての緑色用液晶表示素子３０Ｇに入射する。
【００３８】
赤色用光源装置１０Ｒは、光源２０と、ロッドインテグレーター２１と、コリメートレンズ２２と、反射ミラー２３と、を備えている。
【００３９】
光源２０としては、例えば、赤色光を射出する発光ダイオード（Light Emitting Diode; LED）が用いられる。赤色光は、例えば、波長が約６００ｎｍにおいて発光強度のピークが現れる特性を有する。光源２０から射出された赤色光は、ロッドインテグレーター２１によって輝度が均一化された後、コリメートレンズ２２で略平行化され、反射ミラー２３を介して、光変調素子としての赤色用液晶表示素子３０Ｒに入射する。
【００４０】
青色用光源装置１０Ｂは、光源２４と、ロッドインテグレーター２５と、コリメートレンズ２６と、反射ミラー２７と、を備えている。
【００４１】
光源２４としては、例えば、青色光を射出する発光ダイオード（Light Emitting Diode; LED）が用いられる。青色光は、例えば、波長が約４５０ｎｍにおいて発光強度のピークが現れる特性を有する。光源２４から射出された青色光は、ロッドインテグレーター２５によって輝度が均一化された後、コリメートレンズ２６で略平行化され、反射ミラー２７を介して、光変調素子としての青色用液晶表示素子３０Ｂに入射する。
【００４２】
ここで、光源２０を本発明における第２の光源とし、光源２０から射出される赤色光を本発明における第２の光とすることができる。あるいは、光源２４を本発明における第２の光源とし、光源２４から射出される青色光を本発明における第２の光としてもよい。第２の光の色は第１の光の色とは異なる。
【００４３】
赤色用液晶表示素子３０Ｒ、緑色用液晶表示素子３０Ｇおよび青色用液晶表示素子３０Ｂは、液晶パネルの両面（光入射面および光射出面）に偏光板を貼着した透過型の光変調素子である。赤色用液晶表示素子３０Ｒ、緑色用液晶表示素子３０Ｇおよび青色用液晶表示素子３０Ｂは、赤色用光源装置１０Ｒ、緑色用光源装置１０Ｇおよび青色用光源装置１０Ｂから入射した赤色光、緑色光および青色光を外部から供給される画像信号に基づいて変調し、赤色の画像光、緑色の画像光および青色の画像光を生成する。
【００４４】
色合成光学系４０は、赤色用液晶表示素子３０Ｒ、緑色用液晶表示素子３０Ｇおよび青色用液晶表示素子３０Ｂで生成された赤色の画像光、緑色の画像光および青色の画像光を合成し、光の三原色によるカラー画像光を形成するクロスダイクロイックプリズムである。クロスダイクロイックプリズムは、４つの直角プリズムを貼り合わせて立方体に形成した光学部材である。直角プリズム同士を貼り合わせたＸ字状の界面には、誘電体多層膜が形成されている。Ｘ字状の一方の界面に形成された誘電体多層膜は赤色光を反射するものであり、他方の界面に形成された誘電体多層膜は青色光を反射するものである。クロスダイクロイックプリズムは、これら誘電体多層膜によって進行方向をそれぞれ変更した赤色光および青色光と、透過する緑色光との進行方向をそろえることにより、赤色の画像光、緑色の画像光および青色の画像光を合成する。
【００４５】
色合成光学系４０で合成された赤色の画像光、緑色の画像光および青色の画像光は、投射光学系５０によってスクリーンＳＣＲ上に拡大投射され、ユーザーの目にカラー画像として認識される。
【００４６】
図２は、プロジェクター１の動作を制御する制御系の機能構成を表すブロック図である。図２では、図１に示した構成のうち、主に光源１１の動作説明を行う上で必要となる構成を中心に抜き出し簡略化して図示している。
【００４７】
プロジェクター１は、制御系として、制御部６５と、光源駆動部６６と、モーター駆動部６３と、画像信号供給部６４と、光量検出部６０と、を備える。
【００４８】
制御部６５は、ＣＰＵ（Central Processing Unit）と、ＲＯＭ（Read Only Memory）と、ＲＡＭ（Random Access Memory）と（いずれも図示を省略する。）を含んで実現される。ＣＰＵは、ＲＯＭに記憶された制御プログラムを読み出してＲＡＭに展開しこのＲＡＭ上のプログラムのステップを実行する。このＣＰＵによるプログラム実行によって、制御部６５は、プロジェクター１全体の動作を制御する。制御部６５は、制御プログラムの実行により、画像出力要求信号を画像信号供給部６４に供給する。
【００４９】
制御部６５は、その機能構成として、発光タイミング生成部７２と、回転周期決定部７１と、異常領域検出部７３と、光源出力レベル調整部７４と、を備えている。
【００５０】
発光タイミング生成部７２は、画像信号供給部６４から供給されるフレーム同期信号を取り込み、光源１１が射出する励起光Ｌである青色光の射出期間を制御するための発光タイミング信号をフレーム同期信号に同期させて生成し、その発光タイミング信号を光源駆動部６６と回転周期決定部７１とに供給する。フレーム同期信号は、映像のフレーム周期を決定する同期信号であり、例えば、６０フレーム／秒（fps: frame par second）のフレームレートを有するパルス信号である。発光タイミング信号は、フレーム同期信号に同期した信号であり、例えばフレーム同期信号のフレームレートが６０ｆｐｓである場合、発光タイミング信号は、フレーム周波数に同期した１／６０秒や１／１２０秒の周期を有する正アクティブのパルス信号とされる。光源１１は間欠的に発光させてもよく、画像表示期間中常に発光させてもよい。本実施形態では、画像表示期間中常に光源１１を発光させている。
【００５１】
回転周期決定部７１は、発光タイミング生成部７２から供給される発光タイミング信号を取り込み、回転蛍光板１３の回転周期を計算し、この回転周期の値（回転周期値）をモーター駆動部６３に供給する。また、回転周期決定部７１は、モーター駆動部６３から供給されるモーター１４の回転軸Ａｘの位置情報を取り込み、この位置情報に基づいてモーター１４の回転軸の回転角を検出する。モーター１４の回転軸の回転角は回転蛍光板１３の回転角に相当する。
【００５２】
異常領域検出部７３は、光量検出部６０から供給される緑色光Ｇの光量の情報（光量値）と回転周期決定部７１から供給される回転軸Ａｘの位置情報およびモーター１４の回転周期値の情報とを取り込み、これらの情報に基づいて、蛍光体１３ｂにおいて異常が生じている領域、すなわち異常領域を検出する。さらに異常領域検出部７３は、その異常領域の位置情報を、光量検出部６０から供給された光量値の情報と回転周期決定部７１から供給された回転軸Ａｘの位置情報およびモーター１４の回転周期値の情報とともに光源出力レベル調整部７４に供給する。
【００５３】
異常領域とは、回転蛍光板１３から射出される緑色光Ｇの光量が設計仕様で定められた光量に比べて著しく低下している領域をいう。緑色光Ｇの光量が低下する原因としては、蛍光体１３ｂの表面に付着した埃や異物などの光吸収体が、励起光Ｌによって発熱して蛍光体１３ｂを変質させる場合などが挙げられる。異常領域は例えば、蛍光体１３ｂを構成するシリコーン樹脂が黒色炭化した領域である。
【００５４】
なお、工場出荷時において蛍光体１３ｂに厚みむらなどの欠陥がある場合も、蛍光体１３ｂが局所的に発熱し、蛍光体１３ｂを変質させる原因となる。このような欠陥部分も異常領域として検出することができるが、本実施形態では、説明の便宜上、このような工場出荷時から内在する欠陥は存在しないものとし、工場出荷後の事後的な原因、例えば埃や異物などの付着によって異常領域が発生するものとする。
【００５５】
本実施形態の場合、例えば、工場出荷時に回転蛍光板１３の各回転位置における緑色光Ｇの光量を測定し、初期データとして、光源装置１０Ｇに備えられた図示略の記憶装置に記憶する。そして、光源装置１０Ｇを使用するときに、常時又は定期的に同様の測定を行い、初期データとの比較を行う。比較を行った結果、初期データから光量が低下（例えば初期から８０％以下に低下）している部分が存在すれば、その部分を蛍光体１３ｂの異常領域として検出する。
【００５６】
光源出力レベル調整部７４は、異常領域検出部７３から供給された異常領域の位置情報および異常領域の光量値の情報と発光タイミング生成部７２から供給された発光タイミング信号とを取り込む。さらに光源出力レベル調整部７４は、異常領域および該異常領域の隣接領域に対する発光レベル補正信号を生成し、この発光レベル補正信号を光源駆動部６６に供給する。異常領域の隣接領域については、後で説明する。発光レベル補正信号は、異常領域および該異常領域の隣接領域に照射する励起光Ｌの光量を、異常領域および該異常領域の隣接領域以外の領域（光量の低下が生じていない部分）に照射する励起光Ｌの光量に比べてどの程度減光するかを示す信号である。本実施形態の場合、例えば、異常領域および該異常領域の隣接領域には５０％程度減光した励起光Ｌを射出し、異常領域および該異常領域の隣接領域以外の領域には減光しない励起光Ｌを射出するように発光レベル補正信号が生成される。異常領域および該異常領域の隣接領域以外の領域に対する発光レベル補正信号が示す発光レベル補正値はゼロである。
【００５７】
光源駆動部６６は、発光タイミング生成部７２から供給される発光タイミング信号と、光源出力レベル調整部７４から供給される発光レベル補正信号とを取り込み、発光タイミング信号が示すタイミングに基づいて、発光レベル補正信号が示す発光レベル補正値で補正した出力値で光源１１を発光させる。すなわち、励起光Ｌが蛍光体１３ｂの異常領域および該異常領域の隣接領域を照射するタイミングで、発光レベル補正信号が示す発光レベル補正値で補正した出力値で光源１１を発光させ、励起光Ｌが蛍光体１３ｂの異常領域および該異常領域の隣接領域以外の領域を照射するタイミングで、補正値がゼロである出力値（補正しない出力値）で光源１１を発光させる。光源駆動部６６は、発光タイミング信号が正アクティブのパルス信号である場合、発光タイミング信号の正の期間において光源１１を発光させる。
【００５８】
モーター駆動部６３は、回転周期決定部７１から供給される回転周期値を取り込み、この回転周期値を指定する回転指示信号を生成し、回転指示信号をモーター１４に供給してモーター１４を所定の回転周期で駆動する。また、モーター駆動部６３は、モーター１４から供給される回転軸の位置情報を取り込み、その位置情報を回転周期決定部７１に供給する。モーター１４とモーター駆動部６３は、励起光Ｌが照射される蛍光体１３ｂ上の照射位置を時間とともに移動させる駆動部として機能する。
【００５９】
画像信号供給部６４は、図示しない同期信号生成部を含み、この同期信号生成部が生成するフレーム同期信号を発光タイミング生成部７２に供給する。また、画像信号供給部６４は、制御部６５から供給される画像出力要求信号を取り込み、この画像出力要求信号に応じて、外部から供給される画像信号をフレーム同期信号に同期させて赤色用液晶表示素子３０Ｒ、緑色用液晶表示素子３０Ｇおよび青色用液晶表示素子３０Ｂにそれぞれ供給する。
【００６０】
光量検出部６０は、ビームスプリッター６１と、パワーメーター６２と、を備えている。回転蛍光板１３から射出された緑色光Ｇの一部はビームスプリッター６１で分岐され、パワーメーター６２に入射する。パワーメーター６２は、高速で回転する回転蛍光板１３の所定回転角ごとに光量を高い分解能で測定できるものであり、例えば、帯域が１ＭＨｚのフォトディテクター（Photo Ditector;PD）が使用される。パワーメーター６２で検出された緑色光Ｇの光量の情報（光量値）は、異常領域検出部７３に供給される。
【００６１】
なお、上述したプロジェクター１の制御系のうち、制御部６５、光源駆動部６６、モーター駆動部６３および光量検出部６０は、赤色用光源装置１０Ｒ、緑色用光源装置１０Ｇおよび青色用光源装置１０Ｂを含む複数の色光源装置からなる光源装置の制御系を構成する。この光源装置の制御系は、光源装置の一部を構成する。
【００６２】
図３は、蛍光体１３ｂの異常領域Ｔが回転蛍光板１３の回転方向に沿って成長する様子を示す図である。
【００６３】
本実施形態の光源装置では、励起光による熱が一箇所に集中しないように、励起光が蛍光体１３ｂに照射される照射位置Ｓを時間とともに回転蛍光板１３に対して相対的に移動させている。照射位置Ｓは蛍光体１３ｂ上を所定の軌跡ｒを描いて周期的に移動する。移動の態様としては、円運動や往復運動などが挙げられるが、本実施形態では、励起光を照射しつつ回転蛍光板１３を回転させることによって、励起光の照射位置Ｓが円軌道を描くようにしている。
【００６４】
ここで、蛍光体１３ｂに埃や異物などが付着すると、励起光の照射によって異物が光を吸収して急激に温度が上がり、蛍光体１３ｂを固着しているシリコーン樹脂が分解されて黒色炭化（変質）する場合がある。炭化したシリコーン樹脂は更に光を吸収して温度が上がり、周囲のシリコーン樹脂に作用して異常領域Ｔが広がってゆく。回転蛍光板１３の径方向は光照射領域が励起光のビームスポットのサイズに限られているため炭化の広がりはある範囲、すなわち光照射領域から熱伝導によって熱が伝わる範囲で止まるが、回転蛍光板１３の回転方向は照射位置Ｓの移動方向と一致するので異常領域Ｔが伸び、時間と共にゆっくり成長していく。そして最後には回転蛍光板１３の全周に異常領域Ｔが及んでしまう。異常領域Ｔは発光効率が極端に落ちて性能が維持できない上、温度が上昇して光源装置１０Ｇおよびその周辺部の機器の故障の原因となる。
【００６５】
図４は、蛍光体の異常領域の検出方法と励起光の照射光量の制御方法の説明図である。図４（ａ）は、初期状態（工場出荷時）における、回転蛍光板の回転角と光量検出部で検出された緑色光（蛍光）の相対光量との関係を示す図である。相対光量とは、光量検出部で検出された緑色光の光量を所定の光量で規格化した光量である。図４（ｂ）は、製品使用時（工場出荷時から所定時間経過後）における、回転蛍光板の回転角と光量検出部で検出された緑色光の相対光量との関係を示す図である。図４（ｂ）においても、光量検出部で検出された緑色光の光量を前記所定の光量で規格化して得られる相対光量をプロットしてある。図４（ｃ）は、図４（ｂ）の測定結果に基づいて検出された蛍光体の異常領域を示す図である。図４（ｄ）は、回転蛍光板の回転角と励起光の相対光量との関係を示す図である。励起光の相対光量は、励起光の最大値が１になるように規格化してある。前述したように、励起光は発光レベル補正値を用いて補正されている。
【００６６】
図２に示したように、本実施形態の光源装置１０Ｇでは、回転蛍光板１３から射出された緑色光Ｇの光路の一部にビームスプリッター６１を設け、分岐した緑色光Ｇをパワーメーター６２に導入して光量測定を行っている。本実施形態ではまず、図４（ａ）に示すように、光源装置１０Ｇの製造、出荷時に回転蛍光板１３からの緑色光Ｇの光量（強度）を回転蛍光板１３の所定回転角ごとに測定し、回転蛍光板１３の所定回転角ごとの相対光量を求める。そして、各回転角における緑色光Ｇの相対光量のデータを初期データとして記憶装置に保存する。そして、図４（ｂ）に示すように、光源装置１０Ｇを使用するときに常時又は定期的に同様の測定を行い、回転蛍光板１３の所定回転角ごとの相対光量を求める。そして、光源装置１０Ｇの使用時における相対光量を初期データと比較する。
【００６７】
図４（ｃ）に示すように、比較を行った結果、初期データから相対光量が低下（例えば初期から８０％以下に低下）している部分があったら、その部分を蛍光体１３ｂの異常領域Ｔ（図３参照）と認定する。そして、図４（ｄ）に示すように、蛍光体１３ｂの異常領域Ｔを励起光が照射するタイミングで光源１１に供給する電流を低減して励起光の光量（強度）を減光する。例えば励起光の光量を５０％程度に減光する。こうすることによって、蛍光体１３ｂの異常領域Ｔの温度上昇を防ぎ、異常領域Ｔが周方向に成長するのを防ぐことができる。
【００６８】
蛍光体１３ｂの異常領域Ｔを認定する場合には、回転蛍光板１３の１回転のみの測定値で決定するのでなく、複数回の回転において測定を行い、測定値に再現性があることを確認してから認定するのがよい。これによれば、異常領域Ｔの認定の精度が高くなる。すなわち、図３に示したように、励起光の照射位置Ｓは蛍光体１３ｂ上を所定の軌跡ｒを描いて周期的に移動し、その移動の周期ごとに励起光が蛍光体１３ｂの同一箇所を照射するように構成されている。そのため、図２に示した異常領域検出部６４は、回転蛍光板１３の複数回の回転において測定した各回転角における緑色光Ｇの光量を平均することによって、その平均値を各回転角における緑色光Ｇの光量とすることが好ましい。つまり、１カ所について１回の測定で異常領域を認定するのではなく、１カ所について複数回の測定によって異常領域を認定することが好ましい。
【００６９】
なお、本実施形態では、初期データとの比較を行うことで緑色光Ｇの経時的な光量変化を検出したが、初期状態の相対光量が回転角に対して十分平坦な場合は初期状態の緑色光Ｇの相対光量を測定し記憶装置に保存しておく必要はない。この場合、光源装置の使用時に常時又は定期的に緑色光Ｇの光量を測定し、１周内で緑色光Ｇの光量が他の回転角に比べて著しく低下している部分を検出すればよい。また、本実施形態では蛍光体１３ｂの異常領域Ｔに対して励起光を減光したが、スイッチにより完全にＯＦＦ、すなわち励起光の光量をゼロにしてもよい。
【００７０】
図５は、プロジェクター１の制御系が実行する処理の手順を表すフローチャートである。制御部６５が制御プログラムを起動し、また、画像信号供給部６４の同期信号生成部がフレーム同期信号の生成を開始すると、同図のフローチャートによる処理が開始される。
【００７１】
まず、ステップＳ１において、モーター駆動部６３は、回転周期決定部７１から供給される回転周期値を取り込み、この回転周期値を指定する回転指示信号を生成し、この回転指示信号をモーター１４に供給してモーター１４を所定の回転周期で駆動する。また、モーター駆動部６３は、モーター１４から供給される回転軸の位置情報を取り込み、その位置情報を回転周期決定部７１に供給する。
【００７２】
次に、ステップＳ２において、光源駆動部６６は、発光タイミング生成部７２から供給される発光タイミング信号を取り込み、光源出力レベル調整部７４から供給される発光レベル補正信号を取り込む。このとき、光源出力レベル調整部７４は、発光レベル補正値を０（ゼロ；補正しない）とした発光レベル補正信号を光源駆動部６６に供給する。光源駆動部６６は、発光タイミング信号が示すタイミングに基づいて、発光レベル補正信号が示す発光レベル補正値で補正した出力値で光源１１を発光させる。ここでは、発光レベル補正値は０（ゼロ）であるため、出力値の補正は行われない。
【００７３】
次に、ステップＳ３において、制御部６５は、画像出力要求信号を画像信号供給部６４に供給し、画像信号供給部６４は、制御部６５から供給される画像出力要求信号を取り込み、この画像出力要求信号に応じて、外部から供給される画像信号をフレーム同期信号に同期させて赤色用液晶表示素子３０Ｒ、緑色用液晶表示素子３０Ｇおよび青色用液晶表示素子３０Ｂにそれぞれ供給する。
【００７４】
次に、ステップＳ４において、異常領域検出部７３は、モーター１４の回転の位相と、光量検出部６０が検出する回転蛍光板１３からの緑色光Ｇの光量とを監視する。具体的には、異常領域検出部７３は、発光タイミング生成部７２から供給される発光タイミング信号と、回転周期決定部７１から供給される回転周期値の情報および回転軸の位置情報を含む基準位置信号と、光量検出部６０から供給される光量値と、を取り込む。
【００７５】
次に、ステップＳ５において、異常領域検出部７３は、取り込んだ光量値をチェックする。例えば、異常領域検出部７３は、回転蛍光板１３の回転角によらず、光量値があらかじめ設定された第１の光量より常に大きいか否か、例えば工場出荷時の初期状態の光量値の８０％より大きいか否かを判定する。異常領域検出部７３が、ある回転角において光量値が第１の光量以下であると判定した場合はステップＳ６の処理に移り、回転角によらず光量値が常に第１の光量よりも大きいと判定した場合はステップＳ４の処理に戻る。
【００７６】
ステップＳ６において、異常領域検出部７３は、第１の光量以下の光量値が検出されたときの時刻と、回転軸の位置情報における基準位置に対応する時刻と、回転蛍光板１３の回転周期値とに基づいて、蛍光体１３ｂにおける光量が低い部位を、異常領域として特定する。具体的には、異常領域検出部７３は、第１の光量以下の光量値が検出されたときの時刻と、直近の基準位置信号における基準位置に対応する時刻との時間差を計算する。次に、異常領域検出部７３は、前記時間差と回転蛍光板１３の回転周期値とに基づいて、回転蛍光板１３が基準位置から前記時間差をかけて進む周回距離を計算し、その到達地点を、蛍光体１３ｂにおいて光量値が第１の光量以下となる部位の位置として取得する。
【００７７】
次に、ステップＳ７において、光源出力レベル調整部７４は、異常領域検出部７３から供給された異常領域の位置情報および異常領域の光量値の情報と発光タイミング生成部７２から供給された発光タイミング信号とを取り込み、異常領域および該異常領域の隣接領域に照射する励起光の光量値を補正するための発光レベル補正値を計算する。異常領域の隣接領域とは、励起光の照射位置Ｓの軌跡ｒ上において異常領域よりも移動方向前方側または移動方向後方側に隣り合う領域であって、光量値が第１の光量よりも大きいが第２の光量よりも小さい部分をいう。第２の光量とは、初期状態において当該隣接領域から放射される蛍光の光量値である。ただし、初期状態の発光特性が十分平坦な場合は、光量値が概ね均一な領域の光量値の平均値が第２の光量に相当する。
【００７８】
具体的には、光源出力レベル調整部７４は、工場出荷時に定められた励起光の光量値（初期設定値）の５０％の光量値を異常領域に対する発光レベル補正値として決定し、異常領域に対して初期設定値の５０％の光量値で励起光が照射されるようにする。異常領域の隣接領域では、異常領域から離れるに従って光量値が徐々に大きくなるように発光レベル補正値が決定される。すなわち、異常領域では、初期設定値の５０％の光量値で励起光が照射されるようにし、異常領域の隣接領域では、異常領域から離れるに従って徐々に励起光の光量値が初期設定値に近付くように励起光の光量値が制御される。
【００７９】
次に、光源出力レベル調整部７４は、発光レベル補正信号を光源駆動部６６に供給する。発光レベル補正信号は、発光レベル補正値と、光源１１がこの発光レベル補正値で補正された出力値で光源１１が発光するタイミングと、を表す信号である。
【００８０】
ステップＳ８の処理の後は、ステップＳ４の処理に戻る。
【００８１】
以上のように本実施形態のプロジェクター１では、異常領域Ｔに照射される励起光の光量を異常領域Ｔとは異なる領域に照射される励起光の光量よりも小さくしている。そのため、異常領域Ｔの広がりが抑制され、蛍光体１３ｂの性能劣化が生じにくいプロジェクターが提供される。さらに、本実施形態のプロジェクター１では、光源出力レベル調整部７４は、異常領域Ｔに照射される励起光の光量および異常領域の隣接領域に照射される励起光の光量を、異常領域Ｔおよび該異常領域の隣接領域以外の領域に照射される励起光の光量よりも小さくしている。そのため、異常領域Ｔの隣接領域で変質が進行し、励起光の照射位置Ｓの移動方向に沿って異常領域Ｔが大きく広がることが抑制される。
【００８２】
［第２実施形態］
図６は、第２実施形態のプロジェクターにおける蛍光体の異常領域の検出方法と励起光の照射光量の制御方法の説明図である。図６（ａ）は、初期状態（工場出荷時）における、回転蛍光板の回転角と光量検出部で検出された緑色光（蛍光）の相対光量との関係を示す図である。相対光量とは、光量検出部で検出された緑色光の光量を所定の光量で規格化した光量である。図６（ｂ）は、製品使用時（工場出荷時から所定時間経過後）における、回転蛍光板の回転角と光量検出部で検出された緑色光の相対光量との関係を示す図である。図６（ｂ）においても、光量検出部で検出された緑色光の光量を前記所定の光量で規格化して得られる相対光量をプロットしてある。図６（ｃ）は、図６（ｂ）の測定結果に基づいて検出された蛍光体の異常領域を示す図である。図６（ｄ）は、回転蛍光板の回転角と励起光の相対光量との関係を示す図である。励起光の相対光量は、励起光の最大値が１になるように規格化してある。前述したように、励起光は発光レベル補正値を用いて補正されている。
【００８３】
本実施形態において第１実施形態と異なる点は、光源出力レベル調整部７４が、異常領域Ｔの前後に照射される励起光の光量を異常領域Ｔの中央部に照射される励起光の光量よりも小さくしている点である。
【００８４】
図３に示したように、蛍光体１３ｂの変質は、主に異常領域Ｔの端部および該異常領域の隣接領域から励起光の照射位置Ｓの移動方向に沿って進行する。これは、励起光の吸収および変質が励起光の照射位置Ｓの軌跡上で起こるからである。異常領域Ｔの中央部でも励起光の吸収および変質は生じるが、異常領域の広がりは励起光の吸収によって生じた熱が蛍光体１３ｂ内を熱伝導される範囲である。そのため、照射位置Ｓの軌跡と交差する方向には、励起光の照射位置Ｓの軌跡に沿って異常領域が広がる場合のようにダイナミックに異常領域Ｔが広がることはない。そのため、異常領域Ｔの中央部には、異常領域Ｔの端部および該異常領域の隣接領域に比べて強い励起光を照射することができる。第1施形態のように異常領域Ｔに照射する励起光の光量を小さくすると、光源装置から射出される蛍光の光量が小さくなるが、本実施形態のように異常領域Ｔの中央部に照射する励起光の光量を大きくすれば、この光量の低下を抑えることができる。
【００８５】
例えば、図６（ｂ）および図６（ｃ）に示すように、蛍光体１３ｂの異常領域Ｔが周方向に成長してしまった場合、異常領域Ｔの全領域において光源１１を一様に減光又はＯＦＦにしてもよいが、そうすると全体の発光量が極端に減ってしまい、光源装置として支障が出てしまう。そこで本実施形態では、図６（ｄ）に示すように、蛍光体１３ｂの異常領域が周方向に成長する異常領域Ｔの端部および該異常領域の隣接領域において励起光の光量を大きく減光し、異常領域Ｔの中央付近では、異常領域Ｔの端部および該異常領域の隣接領域よりも減光量を小さくする。この構成によれば、異常領域Ｔの全領域において光源１１を一様に減光又はＯＦＦにする場合に比べて発光量の低下を抑制でき、異常領域Ｔの周方向の広がりも抑えることができる。異常領域Ｔの中央付近の励起光の光量は、発熱量が大きくならないように適宜設定すればよく、発熱量が問題ない場合は、通常の光量を照射してもかまわない。異常領域Ｔの中央部では比較的強い励起光が照射されるので、温度上昇が生じ発光効率も低下するが、ある程度の光量を確保することができれば、この点は特に問題視する必要はない。
【００８６】
［第３実施形態］
図７は、第３実施形態のプロジェクター２の概略図である。
本実施形態において、第１実施形態のプロジェクター１と共通する構成については、同じ符号を付し、詳細な説明は省略する。
【００８７】
プロジェクター２は、赤色用光源装置８０Ｒと、緑色用光源装置８０Ｇと、青色用光源装置８０Ｂと、色合成光学系９０と、マイクロミラー型光変調素子１００と、投射光学系５０と、を備えている。
【００８８】
緑色用光源装置８０Ｇは、光源１１と、集光レンズ１２ａと、コリメートレンズ１２ｂと、回転蛍光板１３と、モーター１４と、ピックアップ光学系１５と、ダイクロイックミラー１６と、を備えている。
【００８９】
光源１１、集光レンズ１２ａ、コリメートレンズ１２ｂ、回転蛍光板１３、モーター１４、ピックアップ光学系１５およびダイクロイックミラー１６の構成は、第１実施形態で説明したものと同じである。
【００９０】
光源１１から射出された励起光は、コリメートレンズ３６で平行化され、集光レンズ１２ａとコリメートレンズ１２ｂで一旦光束が細められる。その後、ダイクロイックミラー１６にて９０度光路が折り曲げられ、ピックアップ光学系１５で回転蛍光板１３の蛍光体１３ｂ上に集光される。蛍光体１３ｂから射出された緑色光は、ピックアップ光学系１５によって略平行化され、ダイクロイックミラー１６によって残留励起光が除去された後、色合成光学系９０に入射する。
【００９１】
赤色用光源装置８０Ｒは、光源２０と、コリメートレンズ８１と、を備えている。光源２０の構成は、第１実施形態で説明したものと同じである。光源２０から射出された赤色光は、コリメートレンズ８１によって略平行化され、色合成光学系９０に入射する。
【００９２】
青色用光源装置８０Ｂは、光源２４と、コリメートレンズ８２と、を備えている。光源２４の構成は、第１実施形態で説明したものと同じである。光源２４から射出された青色光は、コリメートレンズ８２によって略平行化され、色合成光学系９０に入射する。
【００９３】
ここで、光源２０を本発明における第２の光源とし、光源２０から射出される赤色光を本発明における第２の光とすることができる。あるいは、光源２４を本発明における第２の光源とし、光源２４から射出される青色光を本発明における第２の光としてもよい。
【００９４】
色合成光学系９０は、クロスダイクロイックプリズム９１と、集光レンズ９２と、ロッドインテグレーター９３と、集光レンズ９４と、反射ミラー９５と、を備えている。
【００９５】
クロスダイクロイックプリズム９１は、４つの直角プリズムを貼り合わせて立方体に形成した光学部材である。直角プリズム同士を貼り合わせたＸ字状の界面には、誘電体多層膜が形成されている。Ｘ字状の一方の界面に形成された誘電体多層膜は赤色光を反射するものであり、他方の界面に形成された誘電体多層膜は青色光を反射するものである。クロスダイクロイックプリズム９１は、これら誘電体多層膜によって進行方向をそれぞれ変更した赤色光および青色光と、透過する緑色光との進行方向をそろえる。
【００９６】
赤色用光源装置８０Ｒ、緑色用光源装置８０Ｇおよび青色用光源装置８０Ｂは、時分割で交互に駆動される。赤色用光源装置８０Ｒ、緑色用光源装置８０Ｇおよび青色用光源装置８０Ｂから順次射出された赤色光、緑色光および青色光はクロスダイクロイックプリズム９１で進行方向が揃えられた後、集光レンズ９２によって集光され、ロッドインテグレーター９３によって輝度分布が均一化される。ロッドインテグレーター９３から射出された赤色光、緑色光および青色光は、集光レンズ９４で再集光された後、反射ミラー９５で反射され、マイクロミラー型光変調素子１００に順次入射する。
【００９７】
マイクロミラー型光変調素子１００は、ＭＥＭＳ（Micro Electro Mechanical Systems）技術によって製造された反射型の光変調素子である。マイクロミラー型光変調素子１００としては、例えばＤＭＤ（Digital Micromirror Device）（ＴＩ社の商標）が用いられる。マイクロミラー型光変調素子１００は、反射ミラー９５から順次入射した赤色光、緑色光および青色光を外部から供給される画像信号に基づいて変調し、赤色の画像光、緑色の画像光および青色の画像光を順次生成する。マイクロミラー型光変調素子１００で生成された赤色の画像光、緑色の画像光および青色の画像光は投射光学系５０でスクリーンＳＣＲ上に順次拡大投射され、ユーザーの目で混色されてカラー画像として認識される。
【００９８】
本実施形態の場合、１フレーム期間は３つのサブフレーム期間に分割され、１サブフレーム期間ごとに赤色の画像光、緑色の画像光および青色の画像光が順次生成される。赤色用光源装置８０Ｒ、緑色用光源装置８０Ｇおよび青色用光源装置８０Ｂは、他の色の画像光が生成されているときには、出力光量がゼロ（非発光）とされる。よって、赤色用光源装置８０Ｒ、緑色用光源装置８０Ｇおよび青色用光源装置８０Ｂでは、特定のサブフレーム期間のみをオンとし、それ以外のサブフレーム期間をオフとする間欠発光が行われる。
【００９９】
図８は、プロジェクター２の動作を制御する制御系の機能構成を表すブロック図である。図８では、図７に示した構成のうち、特に励起用光源１１、赤色用光源２０および青色用光源２４の駆動制御に必要な構成のみを抜き出し簡略化して図示している。
【０１００】
プロジェクター２は、制御系として、制御部６９と、励起用光源駆動部６６と、モーター駆動部６３と、画像信号供給部６４と、光量検出部６０と、を備える。制御部６９は、その機能構成として、発光タイミング生成部７６と、回転周期決定部７１と、異常領域検出部７３と、光源出力レベル調整部７５と、を備えている。
【０１０１】
本実施形態にかかるプロジェクター２は、発光タイミング生成部７６が、励起用光源１１、赤色用光源２０および青色用光源２４を間欠発光させるべく発光タイミング信号を生成する点において第１実施形態にかかるプロジェクター１と異なる。さらに、本実施形態にかかるプロジェクター２は、光源出力レベル調整部７５が、異常領域に照射される励起光の光量を異常領域とは異なる領域に照射される励起光の光量よりも小さくすることに対応して、赤色用光源２０から射出される赤色光Ｒの光量および青色用光源２４から射出される青色光Ｂの光量を小さくする点において第１実施形態にかかるプロジェクター１と異なる。
【０１０２】
赤色用光源２０から射出される赤色光Ｒの光量および青色用光源２４から射出される青色光Ｂの光量は、回転蛍光板１３から射出される緑色光Ｇの光量に対してホワイトバランスが保たれる光量として初期設定されている。しかし、蛍光体１３ｂに異常領域が発生し、異常領域への励起光の光量が低減されると、赤色光Ｒおよび青色光Ｂに比べて緑色光Ｇの光量が相対的に小さくなり、ホワイトバランスが崩れる。そして、得られるカラー画像光にも色ずれが生じる。そのため、本実施形態では、蛍光体１３ｂに異常領域が発生した場合、光源出力レベル調整部７５は、赤色光Ｒおよび青色光Ｂの光量を初期設定値よりも小さくする。これにより、蛍光体１３ｂに異常領域が発生した場合に生じる赤色光Ｒ、緑色光Ｇおよび青色光Ｂの光量のバランスの崩れ（ホワイトバランスの崩れ）を低減することができる。
【０１０３】
光源出力レベル調整部７５は、異常領域検出部７３から供給された異常領域の位置情報および異常領域の光量値の情報と発光タイミング生成部７２から供給された発光タイミング信号とを取り込む。さらに光源出力レベル調整部７５は、異常領域および該異常領域の隣接領域に対する励起用発光レベル補正信号を生成し、この励起用発光レベル補正信号を励起用光源駆動部６６に供給する。また、光源出力レベル調整部７５は、励起用発光レベル補正信号に基づいて、赤色用光源２０に対する赤色用発光レベル補正信号を生成し、この赤色用発光レベル補正信号を赤色用光源駆動部６７に供給する。また同様に、光源出力レベル調整部７５は、励起用発光レベル補正信号に基づいて、青色用光源２４に対する青色用発光レベル補正信号を生成し、この青色用発光レベル補正信号を青色用光源駆動部６８に供給する。赤色用発光レベル補正信号は、赤色用光源２０の光量を初期設定値に対してどの程度減光するかを示す信号であり、青色用発光レベル補正信号は、青色用光源２４の光量を初期設定値に対してどの程度減光するかを示す信号である。励起光は、緑色表示期間のうち異常領域および該異常領域の隣接領域の照射タイミングに合わせて減光されるのとは異なり、赤色光Ｒの光量は赤色表示期間中常に一定の割合で一様に減光される。青色光Ｂの光量も同様に、青色表示期間中常に一定の割合で一様に減光される。
【０１０４】
発光タイミング生成部７６は、画像信号供給部６４から供給されるフレーム同期信号を取り込み、励起用光源１１が励起光Ｌである青色光を射出する期間を制御するための例起光発光タイミング信号、赤色用光源２０が赤色光Ｒを射出する期間を制御するための赤色光発光タイミング信号および青色用光源２４が青色光Ｂを射出する期間を制御するための青色光発光タイミング信号をフレーム同期信号に同期させて生成する。そして、発光タイミング生成部７６は、励起光発光タイミング信号を回転周期決定部７１と励起用光源駆動部６６とに供給し、赤色光発光タイミング信号を赤色用光源駆動部６７に供給し、青色光発光タイミング信号を青色用光源駆動部６８に供給する。
【０１０５】
励起用光源駆動部６６は、発光タイミング生成部７６から供給される発光タイミング信号と、光源出力レベル調整部７５から供給される励起用発光レベル補正信号とを取り込み、発光タイミング信号が示すタイミングに基づいて、励起用発光レベル補正信号が示す励起用発光レベル補正値で補正した出力値で励起用光源１１を間欠的に発光させる。すなわち、緑色表示を行うサブフレーム期間のうち、励起光が蛍光体１３ｂの異常領域および該異常領域の隣接領域を照射するタイミングで、励起用発光レベル補正信号が示す励起用発光レベル補正値で補正した出力値で励起用光源１１を発光させ、励起光が蛍光体１３ｂの異常領域および該異常領域の隣接領域以外の領域を照射するタイミングで、補正値がゼロである出力値（補正しない出力値）で励起用光源１１を発光させる。
【０１０６】
赤色用光源駆動部６７は、発光タイミング生成部７６から供給される赤色光発光タイミング信号と、光源出力レベル調整部７５から供給される赤色用発光レベル補正信号とを取り込み、赤色光発光タイミング信号が示すタイミングに基づいて、赤色用発光レベル補正信号が示す赤色用発光レベル補正値で補正した出力値で赤色用光源２０を間欠的に発光させる。赤色光Ｒは、赤色表示を行うサブフレーム期間の間常に一定の光量で射出される。赤色光Ｒの光量は、蛍光体１３ｂに異常領域が発生したことによる緑色光Ｇの減光量に応じて、初期設定値から所定の光量だけ減光した光量とされる。例えば、蛍光体１３ｂの変質による緑色光Ｇの減光量が、緑色表示を行う１サブフレーム期間全体で５％であるときは、赤色光Ｒの減光量も赤色表示を行う１サブフレーム期間において５％とされる。
【０１０７】
青色用光源駆動部６８は、発光タイミング生成部７６から供給される青色光発光タイミング信号と、光源出力レベル調整部７５から供給される青色用発光レベル補正信号とを取り込み、青色光発光タイミング信号が示すタイミングに基づいて、青色用発光レベル補正信号が示す青色用発光レベル補正値で補正した出力値で青色用光源２４を間欠的に発光させる。青色光Ｂは、青色表示を行うサブフレーム期間の間常に一定の光量で射出される。青色光Ｂの光量は、蛍光体１３ｂに異常領域が発生したことによる緑色光Ｇの減光量に応じて、初期設定値から所定の光量だけ減光した光量とされる。例えば、蛍光体１３ｂの変質による緑色光Ｇの減光量が、緑色表示を行う１サブフレーム期間全体で５％であるときは、青色光Ｂの減光量も青色表示を行う１サブフレーム期間において５％とされる。
【０１０８】
なお、上述したプロジェクター２の制御系のうち、制御部６９、励起用光源駆動部６６、赤色用光源駆動部６７、青色用光源駆動部６８、モーター駆動部６３および光量検出部６０は、赤色用光源装置８０Ｒ、緑色用光源装置８０Ｇおよび青色用光源装置８０Ｂを含む複数の色光源装置からなる光源装置の制御系を構成する。この光源装置の制御系は、光源装置の一部を構成する。
【０１０９】
本実施形態では、光源出力レベル調整部７５が、緑色光Ｇの減光量に応じて赤色光Ｒおよび青色光Ｂの光量も減光するので、色ずれ（ホワイトバランスの崩れ）の少ない画像表示が可能となる。
【０１１０】
［第４実施形態］
図９を用いて、第４実施形態のプロジェクターにおける励起光の制御方法を説明する。図９（ａ）は、製品使用時（工場出荷時から所定時間経過後）における、回転蛍光板の回転角と光量検出部で検出された緑色光Ｇの相対光量との関係を示す図である。ただし、この測定を行うときには、励起光の光量を一定にしてある。図９（ｂ）は、回転蛍光板の回転角と励起光の相対光量との関係を示す図である。励起光の相対光量は、励起光の最大値が１になるように規格化してある。前述したように、励起光は発光レベル補正値を用いて補正されている。
【０１１１】
本実施形態においても、第1実施形態おける光源装置１０Ｇと同様に、回転蛍光板１３から射出された緑色光Ｇの光路の一部にビームスプリッター６１を設け、分岐した緑色光Ｇをパワーメーター６２に導入して光量測定を行う。本実施形態において第１実施形態と異なる点は、製品使用時における緑色光Ｇの相対光量を初期データと比較せず、光源出力レベル調整部７４が、光量検出部６０によって検出された緑色光Ｇの光量に応じて励起光の光量を制御する点である。つまり、本実施形態においては、異常領域を明確には特定していない。
【０１１２】
図９（ｂ）に示すように、緑色光Ｇの相対光量が低ければ低いほど励起光の光量を少なくする。例えば、励起光の光量が緑色光Ｇの相対光量に比例するように励起光を制御する。緑色光Ｇの相対光量がもっとも大きい部分には、もっとも強い励起光が照射される。ここで、緑色光Ｇの相対光量が極端に低い部分は、いわゆる異常領域である。本実施形態では異常領域に照射する励起光を大きく減光する。こうすることによって、蛍光体１３ｂの異常領域の温度上昇を防ぎ、異常領域が周方向に成長するのを防ぐことができる。さらに、本実施形態においては、製品使用時における緑色光Ｇの相対光量を初期データと比較していないため、回路構成を簡略化することができる。
【０１１３】
なお、本実施形態では、励起光の光量が緑色光Ｇの相対光量に比例するように励起光を制御したが、そのように励起光を制御することに限定されない。たとえば、緑色光Ｇの相対光量に閾値を設定し、相対光量が閾値よりも小さくなった場合、励起光の光量をゼロにしてもよい。また、緑色光Ｇの相対光量の低下量が小さい領域では励起光の光量の減光量の変化率を比較的小さくし、緑色光Ｇの相対光量の低下量が大きい領域では励起光の光量の減光量の変化率を比較的大きくしてもよい。これらの制御方法によれば、緑色光Ｇの相対光量の低下が小さい部分には十分強い励起光を照射し、いわゆる異常領域には十分弱い励起光を照射することができる。
【０１１４】
また、本実施形態では、励起光の光量を決定するために緑色光Ｇの相対光量を測定するときに、励起光の光量を一定にしたが、これに限定されない。緑色光Ｇの相対光量に応じて調整された励起光を用いて測定してもよいが、一定の励起光を用いて測定したほうがより正確に励起光を制御することができる。
【０１１５】
［第５実施形態］
図１０，１１，１２を用いて第５実施形態のプロジェクター３を説明する。第５実施形態のプロジェクター３と第１実施形態のプロジェクター１との違いは、主として異常領域の検出方法とにあるため、第１実施形態のプロジェクー１と異なる点について説明する。第１実施形態のプロジェクター１と共通する構成については説明を省略する。
【０１１６】
図１０は、第５実施形態のプロジェクター３の概略図である。
第１実施形態のプロジェクター１は反射型の回転蛍光板を備えていたが、本実施形態のプロジェクター３は透過型の回転蛍光板１１３を備えている。光源１１から射出された励起光は、集光レンズ１２ａによって回転蛍光板１１３の蛍光体１３ｂ上に集光される。
【０１１７】
回転蛍光板１１３は、ガラスなどの透明な円板１１３ａの一方の面に、蛍光体１３ｂを円板１１３ａの周方向に沿って連続的に形成したものである。蛍光体１３ｂは、蛍光体１３ｂに入射した励起光Ｌの一部を緑色光Ｇに変換し、緑色光Ｇをピックアップ光学系１５にむけて射出する。また、蛍光体１３ｂに入射した励起光のうち緑色光Ｇに変換されなかった成分は、蛍光体１３ｂを透過して、青色光Ｂとしてピックアップ光学系１５に入射する。
【０１１８】
ピックアップ光学系１５を透過した青色光Bと緑色光Ｇとはダイクロイックミラー１１６によって分離される。青色光Ｂはさらにミラー１１７とミラー１１８とによって青色用液晶表示素子３０Ｂへ導かれる。
【０１１９】
図１１は、プロジェクター３の動作を制御する制御系の機能構成を表すブロック図である。プロジェクター３は制御系として、制御部１６５と、光源駆動部６６と、モーター駆動部６３と、画像信号供給部６４と、光量検出部１６０と、を備える。
【０１２０】
制御部１６５は、その機能構成として、発光タイミング生成部７２と、回転周期決定部７１と、異常領域検出部１７３と、光源出力レベル調整部７４と、を備えている。
【０１２１】
異常領域に入射した励起光Ｌの一部は、異常領域の変質した蛍光体１３ｂに吸収される。そのため、回転蛍光板１１３の異常領域を透過する青色光Ｂの光量は、回転蛍光板１１３の異常領域以外の領域を透過する青色光Ｂの光量よりも小さくなる。そこで、本実施形態では、回転蛍光板１１３を透過する青色光Ｂの光量を用いて異常領域を検出する。
【０１２２】
光量検出部１６０は、ビームスプリッター１６１と、パワーメーター１６２と、を備えている。回転蛍光板１１３を透過した青色光Ｂの一部はビームスプリッター１６１で分岐され、パワーメーター１６２に入射する。パワーメーター１６２は、高速で回転する回転蛍光板１１３の所定回転角ごとに光量を高い分解能で測定できるものであり、例えば、帯域が１ＭＨｚのフォトディテクター（Photo Ditector;PD）が使用される。パワーメーター１６２で検出された青色光Bの光量の情報（光量値）は、異常領域検出部１７３に供給される。
【０１２３】
異常領域検出部１７３は、光量検出部１６０から供給される青色光Ｂの光量の情報（光量値）と回転周期決定部７１から供給される回転軸Ａｘの位置情報およびモーター１４の回転周期値の情報とを取り込み、これらの情報に基づいて、蛍光体１３ｂの異常領域を検出する。さらに異常領域検出部１７３は、その異常領域の位置情報を、光量検出部１６０から供給された光量値の情報と回転周期決定部７１から供給された回転軸Ａｘの位置情報およびモーター１４の回転周期値の情報とともに光源出力レベル調整部７４に供給する。
【０１２４】
本実施形態の場合、例えば工場出荷時に、回転蛍光板１１３の各回転角における回転蛍光板１１３を透過する青色光Ｂの光量を測定し、初期データとして、光源装置１１０ＧＢに備えられた図示略の記憶装置に記憶する。そして、光源装置１１０ＧＢを使用するときに、常時又は定期的に同様の測定を行い、初期データとの比較を行う。比較を行った結果、初期データから光量が低下（例えば初期から８０％以下に低下）している部分が存在すれば、その部分を蛍光体１３ｂの異常領域として検出する。
【０１２５】
光源出力レベル調整部７４および光源駆動部６６の動作は第1実施形態における光源出力レベル調整部７４および光源駆動部６６の動作と同様である。
【０１２６】
図１２は、蛍光体の異常領域の検出方法と励起光の照射光量の制御方法の説明図である。図１２（ａ）は、初期状態（工場出荷時）における、回転蛍光板の回転角と光量検出部で検出された青色光Bの相対光量との関係を示す図である。図１２（ｂ）は、製品使用時（工場出荷時から所定時間経過後）における、回転蛍光板の回転角と光量検出部で検出された青色光Bの相対光量との関係を示す図である。図１２（ｃ）は、図１２（ｂ）の測定結果に基づいて検出された蛍光体の異常領域を示す図である。図１２（ｄ）は、回転蛍光板の回転角と励起光の相対光量との関係を示す図である。励起光は発光レベル補正値を用いて補正されている。
【０１２７】
本実施形態ではまず、図１２（ａ）に示すように、光源装置１１０ＧＢの出荷前に回転蛍光板１１３からの青色光Ｂの光量（強度）を回転蛍光板１１３の所定回転角ごとに測定し、回転蛍光板１１３の所定回転角ごとの相対光量を求める。そして、各回転角における青色光Ｂの相対光量のデータを初期データとして記憶装置に保存する。そして、図１２（ｂ）に示すように、光源装置１１０ＧＢを使用するときに常時又は定期的に同様の測定を行い、回転蛍光板１1３の所定回転角ごとの相対光量を求める。そして、光源装置１１０ＧＢの使用時における相対光量を初期データと比較する。
【０１２８】
図１２（ｃ）に示すように、比較を行った結果、初期データから相対光量が低下（例えば初期から８０％以下に低下）している部分があったら、その部分を蛍光体１３ｂの異常領域Ｔとして認定する。そして、図１２（ｄ）に示すように、蛍光体１３ｂの異常領域Ｔを励起光が照射するタイミングで光源１１に供給する電流を低減して励起光の光量（強度）を減光する。例えば励起光の光量を５０％程度に減光する。こうすることによって、蛍光体１３ｂの異常領域Ｔの温度上昇を防ぎ、異常領域Ｔが周方向に成長するのを防ぐことができる。
【０１２９】
なお、本実施形態では、初期データとの比較を行うことで青色光Ｂの経時的な光量変化を検出したが、初期状態の相対光量が回転角に対して十分平坦な場合は初期状態の青色光Ｂの相対光量を測定し記憶装置に保存しておく必要はない。この場合、光源装置の使用時に常時又は定期的に青色光Ｂの光量を測定し、１周内で青色光Ｂの光量が他の回転角に比べて著しく低下している部分を検出すればよい。また、本実施形態では蛍光体１３ｂの異常領域Ｔに対して励起光を減光したが、スイッチにより完全にＯＦＦ、すなわち励起光の光量をゼロにしてもよい。
【０１３０】
以上のように本実施形態のプロジェクター３では、異常領域Ｔに照射される励起光の光量を異常領域Ｔとは異なる領域に照射される励起光の光量よりも小さくしている。そのため、異常領域Ｔの広がりが抑制され、蛍光体１３ｂの性能劣化が生じにくいプロジェクターが提供される。さらに、本実施形態のプロジェクター３では、光源出力レベル調整部７４は、異常領域Ｔに照射される励起光の光量および異常領域の隣接領域に照射される励起光の光量を、異常領域Ｔおよび該異常領域の隣接領域以外の領域に照射される励起光の光量よりも小さくしている。そのため、異常領域Ｔの隣接領域で変質が進行し、励起光の照射位置Ｓの移動方向に沿って異常領域Ｔが大きく広がることが抑制される。
【０１３１】
［変形形態］
（１）第２実施形態では、異常領域Ｔの前後に照射される励起光の光量を異常領域Ｔの中央部に照射される励起光の光量よりも小さくした。この構成は、第３実施形態にも適用可能である。
【０１３２】
（２）第３実施形態では、光源出力レベル調整部７５が、異常領域に照射される励起光の光量を異常領域とは異なる領域に照射される励起光の光量よりも小さくすることに対応して、赤色用光源２０から射出される赤色光Ｒの光量および青色用光源２４から射出される青色光Ｂの光量を小さくした。この構成は、第１実施形態および第２実施形態にも適用可能である。
【０１３３】
（３）第４実施形態では、蛍光体１３ｂが熱によって変質した部分を異常領域として認定したが、これに限定されない。工場出荷時において、蛍光体１３ｂの厚みむらや蛍光体１３ｂに付着した異物などの欠陥がある場合も、蛍光体１３ｂが局所的に発熱し、蛍光体１３ｂを変質させる原因となる。そこで、蛍光体１３ｂの変質を防ぐために、このような欠陥部分を異常領域として認定し、このような欠陥部分に照射される励起光を減光してもよい。
【０１３４】
（４）第５実施形態では、回転蛍光板を透過した青色光(励起光)の光量を初期データと比較して異常領域を検出した。これに対して、第４実施形態と同様に、異常領域を明確には特定せずに、光源出力レベル調整部が、光量検出部によって検出された青色光（励起光）の光量に応じて励起光の光量を制御してもよい。このように、蛍光体層から射出された光の光量に応じて光源出力レベル調整部が励起光の光量を制御することによって、異常領域の広がりが抑制され、蛍光体層の性能劣化が生じにくくなる。
【符号の説明】
【０１３５】
１，２，３…プロジェクター、１０Ｇ…緑色用光源装置、１１…光源、１３ｂ…蛍光体（蛍光体層）、２０…光源、２４…光源、６０…光量検出部、７３…異常領域検出部、７４…光源出力レベル調整部、７５…光源出力レベル調整部、８０Ｇ…緑色用光源装置、１１０ＧＢ…光源装置、１７３…異常領域検出部、Ｒ…赤色光、Ｇ…緑色光、Ｂ…青色光、Ｌ…励起光、ｒ…励起光の照射位置の軌跡、Ｓ…励起光が照射される蛍光体上の照射位置、Ｔ…異常領域
【図１】
2013190548.tif 000003
【図２】
2013190548.tif 000004
【図３】
2013190548.tif 000005
【図４】
2013190548.tif 000006
【図５】
2013190548.tif 000007
【図６】
2013190548.tif 000008
【図７】
2013190548.tif 000009
【図８】
2013190548.tif 000010
【図９】
2013190548.tif 000011
【図１０】
2013190548.tif 000012
【図１１】
2013190548.tif 000013
【図１２】
2013190548.tif 000014